(57)【特許請求の範囲】
【請求項１】
装着部に設けた装着軸にロール状媒体の芯穴を嵌め、該ロール状媒体の先端を一対のフィードローラ間に導いて挟持させるロール状媒体の装着機構において、
一端に回転可能なロックレバーを有し、他端を支点として回動するブラケットに押さえ板を取り付けて、前記ロックレバーを前記装着部に設けた係合部から外したとき装着軸にロール状媒体を装着可能とし、前記ロックレバーを前記係合部に係合させることで、前記装着軸に嵌めたロール状媒体を前記押さえ板で押さえるようにすると共に、
前記ロックレバーを係合部から外したときは、先端がロール状媒体の装着位置から離れ、前記ロックレバーを係合部に係合させたときは前記先端がロール状媒体の外周に当接するように、前記ロックレバーに連動するセパレータを備え、
前記ロール状媒体を装着軸に装着して前記ロックレバーを係合部に係合させた状態で前記装着軸を回転させると、前記ロール状媒体の先端がセパレータによりロール状媒体外周から分離して前記フィードローラ間に導かれるようにしたことを特徴とするロール状媒体の装着機構。
【請求項２】
請求項１において、
ブラケットにプレッシャローラを設け、
ロックレバーを係合部に係合させたとき前記プレッシャローラがロール状媒体の外周に当接するようにしたことを特徴とするロール状媒体の装着機構。
【発明の詳細な説明】
【０００１】
【発明の属する技術分野】
本発明は、発券プリンタ等に用いられるロール状媒体を装着するロール状媒体の装着機構に関するものである。
【０００２】
【従来の技術】
図５は従来のロール状媒体の装着機構を示す正面図、図６は左側面図である。
図において１はロール状媒体（以下、ロール紙という）、１００はフレーム、１０１はロール紙１を装着する装着部で、この装着部１０１はフレームに形成されている。
【０００３】
装着部１０１の下端側にはロール紙１をガイドするためのガイド部１０２が形成され、また装着部１０１の中心部には装着軸１０３が設けられていて、この装着軸１０３は図示しないモーターからの駆動力を受けて回転するものとなっている。
１０４はロール紙１の抜け止め用の押さえ板で、この押さえ板１０４の内面側中心部には凸部が設けられており、この凸部を装着軸１０３に設けられた凹部に嵌合させることにより固定できるようになっている。
【０００４】
１０５ａと１０５ｂはガイド部１０２に設けられたフィードローラで、ロール紙１を挟持して回転するように対向配置されている。
この構成においてロール紙１をセットする場合、押さえ板１０４の凸部を装着軸１０３の凹部から抜いて押さえ板１０４を取り外し、ロール紙１を装着部１０１内に挿入して、ロール紙１の芯穴を装着軸１０３に嵌め込む。
【０００５】
そしてロール紙１の先端を指で摘んでガイド部１０２へ引出し、フィードローラ１０５ａ，１０５ｂに噛み込ませた後、押さえ板１０４の凸部を装着軸１０３の凹部に嵌合させて固定することによりセット完了となる。
【０００６】
【発明が解決しようとする課題】
しかしながら、上述した従来の技術では、ロール紙を装着する際に必ずロール紙先端を手動操作でフィードローラ間に噛み込ませてセットしなければならないため、操作に手間がかかるという問題があり、ロール紙先端のセットを忘れた場合、ロール紙の供給ができなくなるという問題も生じる。
【０００７】
本発明は、このような問題を解決することを課題とするものである。
【０００８】
【課題を解決するための手段】
そのため、本発明は、装着部に設けた装着軸にロール状媒体の芯穴を嵌め、該ロール状媒体の先端を一対のフィードローラ間に導いて挟持させるロール状媒体の装着機構において、一端に回転可能なロックレバーを有し、他端を支点として回動するブラケットに押さえ板を取り付けて、前記ロックレバーを前記装着部に設けた係合部から外したとき装着軸にロール状媒体を装着可能とし、前記ロックレバーを前記係合部に係合させることで、前記装着軸に嵌めたロール状媒体を前記押さえ板で押さえるようにすると共に、前記ロックレバーを係合部から外したときは、先端がロール状媒体の装着位置から離れ、前記ロックレバーを係合部に係合させたときは前記先端がロール状媒体の外周に当接するように、前記ロックレバーに連動するセパレータを備え、前記ロール状媒体を装着軸に装着して前記ロックレバーを係合部に係合させた状態で前記装着軸を回転させると、前記ロール状媒体の先端がセパレータによりロール状媒体外周から分離して前記フィードローラ間に導かれるようにしたことを特徴とする。
【０００９】
【発明の実施の形態】
以下、図面を参照して本発明の実施の形態について説明する。
図１は第１の実施の形態を示す正面図、図２は左側面図である。
図において１はロール紙（ロール状媒体）、２はフレーム、３はこのフレーム２に設けられた略円形の装着部で、この装着部３の下端側にはロール紙１をガイドするためのガイド部４が水平方向（図では右方向）に向けて形成されており、このガイド部４にはロール紙１を挟持して回転するように一対のフィードローラ５ａ，５ｂが上下に対向配置されている。
【００１０】
また、装着部３の中心部には装着軸６が設けられていて、この装着軸６は図示しないモーターからの駆動力を受けて回転するものとなっている。
７はブラケットで、一端にロックレバー８が回転可能に取り付けられており、このブラケット７の他端は装着部３の外側に位置するようにフレーム２に固定された支柱９に回転自在に支持されている。
【００１１】
１０は押さえ板で、ブラケット７の中央部内側に設けられた軸１１に対して、その軸長方向に移動できるように設けられており、軸１１の外周に設けられたスプリング１２により付勢されていて、ロックレバー８の先端をフレーム２に設けられた係合部１３に係合させたとき、スプリング１２により押さえ板１０はロール紙１に押しつけられるものとなっている。
【００１２】
尚、ロックレバー８は図示しない捩じりバネにより係合部１３と係合する方向に付勢されている。
１４はリンク機構で、例えば４つのリンク１５〜１８から成り、装着部３の右側つまりガイド部４が形成されている側に位置するように設けられていて、ロックレバー８の動作にセパレータ１９を連動させるようになっている。
【００１３】
ここで、リンク１５はフレーム２に設けられた支軸２０に回転自在に取り付けられていて、その一端はロックレバー８と係合可能に位置し、更にリンク１５は支軸２０に設けられている図示しない捩じりバネにより一端が持ち上げられる方向に付勢されている。
このリンク１５の他端は、フレーム２に設けられた支軸２１に回転自在に取り付けられているリンク１６の一端と軸２２を介して回転自在に連結されており、そしてこのリンク１６の他端に設けられた角穴２３にリンク１７の上部側に設けたポスト２４が摺動自在に嵌合している。
【００１４】
リンク１７の下部側には２本のポスト２５ａ，２５ｂが設けられていて、このポスト２５ａ，２５ｂはリンク１８の上部側に設けられた長穴２６に摺動自在に嵌合し、更にリンク１７の下端とリンク１８の下端がスプリング２７により連結され、またリンク１８の下部側にはポスト２８が設けられていて、このポスト２８はセパレータ１９の上部側に設けられた角穴２９に摺動自在に嵌合している。
【００１５】
セパレータ１９はフレーム２に設けられた支軸３０に回転自在に取り付けられており、このセパレータ１９は下部側の先端部３１は先細の形状に形成されていて、この先端部３１は装着部３内に位置している。
次に作用について説明する。
まず、ロール紙１をセットするには、ロックレバー８を図２に示した矢印ａ方向に回転させて、その先端を係合部１３から外した後、ロックレバー８を手前に引くと、ブラケット７が図２に示した矢印ｂ方向に回動し、これにより押さえ板１０が装着部３から離れて装着部３が開放される。
【００１６】
また、前記のようにロックレバー８を回動させて先端を係合部１３から外すことで、ロックレバー８の先端はリンク機構１４のリンク１５の一端から離れ、これによりリンク１５の一端はロックレバー８による押し下げ力から開放されるため、リンク１５は図示しない捩じりバネの付勢力により図１に矢印ｃで示したように他端が下がる方向に回動する。
【００１７】
このリンク１５の回動によって、リンク１６は一端が下がり、他端が上がる方向に回動するので、リンク１６に設けられた角穴２３によりポスト２４を介してリンク１７が引き上げられる。
これによりリンク１８もスプリング２７を介して引き上げられるため、リンク１８に設けられたポスト２８により角穴２９を介してセパレータ１９の上部に引き上げる力が加えられるが、このとき角穴２９の作用によりセパレータ１９は支軸３０を中心に矢印ｄ方向に回転し、これによりセパレータ１９の先端部３１はロール紙１の装着位置から離れる方向に移動する。
【００１８】
そこで、この状態でロール紙１を装着部３内に挿入し、ロール紙１の芯穴を装着軸６に嵌め込んだ後、ブラケット７を矢印ｂと逆の方向に回転させるように引き起こしてロックレバー８の先端を係合部１３に係合させる。
これによりブラケット７はロックされ、同時に押さえ板１０はスプリング１２によりロール紙１の回転を妨げない程度の適度な力でロール紙１に押しつけられる。
【００１９】
一方、ロックレバー８の先端は係合部１３に係合する際、リンク１５の一端に当たってその一端を押し下げる。
これによりリンク１５とリンク１６は前記と逆に回動して、リンク１７が下方に移動するので、セパレータ１９は図示しない捩じりバネの付勢力により前記矢印ｄとは逆の方向に回転し、セパレータ１９の先端部３１はロール紙１の外周に接触する。
【００２０】
但し、このときのセパレータ１９の回転範囲は図示しないリミッタにより規制され、前端部３１がロール紙１に強く圧接することがないようにしている。
ここで、上位装置からの指示により図示しないモーターが駆動されると、その回転が図示しないギア等の伝達手段を介してフィードローラ５ａ及び装着軸６に伝達されるため、フィードローラ５ａ，５ｂ及び装着軸６が回転し、そしてこの装着軸６の回転によりロール紙１も一体に回転する。
【００２１】
このロール紙１の回転により、ロール紙１の先端はセパレータ１９の先端部３１によりロール紙周面から剥がされて分離され、フィードローラ５ａ，５ｂ側に送られて、このフィードローラ５ａ，５ｂの回転により両ローラ間に挟持され、これによりロール紙１のセットが完了する。
以上説明した第１の実施の形態によれば、ロックレバーの動作に連動するセパレータを設け、ロール紙を装着部の装着軸に装着した後、ロックレバーを装着部に設けた係合部に係合させると、それに連動してセパレータの先端がロール紙の外周に接触し、更に装着軸を回転させるとロール紙の先端がセパレータによりロール紙外周から分離してフィードローラ間に導かれるようにしているので、ロール紙の装着操作が容易になると共に、ロール紙先端のセット忘れを防止できるという効果が得られる。
【００２２】
図３は第２の実施の形態を示す正面図、図４は左側面図である。
この第２の実施の形態は、押さえ板１０の外側に位置するようにブラケット７の内側に上下動可能に設けた軸３２にプレッシャローラ３３を回転可能に取り付け、このプレッシャローラ３３をロール紙１側に付勢するスプリング３４を軸３２とブラケット７間に設けることにより、プレッシャローラ３３を装着直後のロール紙１の外周に接触させるようにしたもので、この他の構成は第１の実施の形態と同様であるので同一の符号を付してその説明を省略する。
【００２３】
この第２の実施の形態におけるロール紙１の装着は第１の実施の形態と同様に行われるが、ロール紙１の中央部を装着軸６に嵌め込んだ後、ブラケット７を図４の矢印ｅ方向に回転させるように引き起こしてロックレバー８の先端を係合部１３に係合させる際、プレッシャローラ３３はロール紙１の外周に乗り上げ、ブラケット７の回転に伴ってロール紙１上を摺動する。
【００２４】
このプレッシャローラ３３の動作を容易にするため、プレッシャローラ３３の先端側にテーパを付けておくとよい。
これによりプレッシャローラ３３が装着直後のロール紙１の外周に接触するので、この状態で装着軸６を回転させるとロール紙１が一体に回転する。
このロール紙１の回転により、ロール紙１の先端はセパレータ１９の先端部３１によりロール紙周面から剥がされて分離し、フィードローラ５ａ，５ｂ側に送られて、このフィードローラ５ａ，５ｂの回転によって両ローラ間に挟持されるが、この動作の際、プレッシャローラ３３が前記のようにロール紙１の外周に接触しているので、ロール紙１の搬送力がアップし、ロール紙１の安定した回転が可能になる。
【００２５】
以上説明した第２の実施の形態も第１の実施の形態と同様の効果が得られ、更にこの第２の実施の形態ではプレッシャローラが装着直後のロール紙の外周に接触しているため、装置の設置態様に係わらずロール紙の安定した回転が可能になるという効果が得られる
【００２６】
【発明の効果】
以上説明したように、本発明は、ロックレバーの動作に連動するセパレータを設け、ロール紙を装着部の装着軸に装着した後、ロックレバーを装着部に設けた係合部に係合させると、それに連動してセパレータの先端がロール紙の外周に接触し、更に装着軸を回転させるとロール紙の先端がセパレータによりロール紙外周から分離してフィードローラ間に導かれるようにしているので、ロール紙の装着操作が容易になると共に、ロール紙先端のセット忘れを防止できるという効果が得られる。
【図面の簡単な説明】
【図１】第１の実施の形態を示す正面図。
【図２】図１の左側面図。
【図３】第２の実施の形態を示す正面図。
【図４】図３の左側面図。
【図５】従来例を示す正面図。
【図６】図５の左側面図。
【符号の説明】
１  ロール紙
３  装着部
４  ガイド部
５ａ，５ｂ  フィードローラ
６  装着軸
７  ブラケット
８  ロックレバー
１０  押さえ板
１３  係合部
１４  リンク機構
１９  セパレータ
３３  プレッシャローラ
【図１】
0004480308.tif 000002
【図２】
0004480308.tif 000003
【図３】
0004480308.tif 000004
【図４】
0004480308.tif 000005
【図５】
0004480308.tif 000006
【図６】
0004480308.tif 000007